(57)【要約】【課題】  磁性金属に対して磁着でき、且つ既に挟持されている紙葉類上に新たな紙葉類を損傷を与えることなく容易に支持させることができるクリップを提供すること。【解決手段】  背板部の両側にそれぞれ鋭角に屈曲して先端部相互が圧接する一対の挟持用板バネ部を設け、前記挟持用板バネ部の間を拡開させる一対のツマミ部の基端部を各挟持用板バネ部の先端外面部に回動自在に取り付けて成り、一方のツマミ部に磁石を設けてある。他方のツマミ部を磁性金属で構成させてある。他方のツマミ部に磁石を設け、両方のツマミ部が互いに引き寄せ合うようになっているツマミ部はその外周枠をバネ鋼線により形成してあり、ツマミ部に磁石を設ける態様は、前記外周枠に磁石を含む樹脂板を嵌め込むようにしてある。【選択図面】  図１
2005186515.tif 000002
【特許請求の範囲】
【請求項１】
背板部の両側にそれぞれ鋭角に屈曲して先端部相互が圧接する一対の挟持用板バネ部を設け、前記挟持用板バネ部の間を拡開させる一対のツマミ部の基端部を各挟持用板バネ部の先端外面部に回動自在に取り付けて成り、一方のツマミ部に磁石を設けてあることを特徴とするクリップ。
【請求項２】
他方のツマミ部を磁性金属で構成させてあることを特徴とする請求項１記載のクリップ。
【請求項３】
他方のツマミ部に磁石を設け、両方のツマミ部が互いに引き寄せ合うようになっていることを特徴とするクリップ。
【請求項４】
ツマミ部はその外周枠をバネ鋼線により形成してあり、ツマミ部に磁石を設ける態様は、前記外周枠に磁石を含む樹脂板を嵌め込むようにしてあることを特徴とする請求項１又は２記載のクリップ。
【請求項５】
背板部及び挟持用板バネ部、並びにツマミ部はバネ鋼により構成されていることを特徴とする請求項１乃至４記載のクリップ。
【発明の詳細な説明】
【技術分野】
【０００１】
この発明は、机や掲示板等に設けられた磁性金属に対して着脱自在に磁着できるクリップに関するものである。
【背景技術】
【０００２】
紙葉類を束で挟み込むクリップとしては、例えば、特許文献１及び特許文献２において開示されている。
【０００３】
上記クリップ（ホルダー、挟持具）は使い勝手を良くするため、クリップの一部に磁石を設け、紙葉類を挟み込んだ状態で机や掲示板等の磁性金属部分に着脱自在に取り付け得るようにしてある。
【０００４】
しかしながら、特許文献１に開示されたクリップでは、既に挟持されている紙葉類（既紙葉類）の上面に、一時的にメモ書きした新たな紙葉類（新紙葉類）を積層支持させる場合には、クリップのツマミ部を開いた状態にし、その上で既紙葉類に新紙葉類を重ねてツマミ部を閉じた状態にしなければならなかった。また、特許文献２に開示されたクリップでは、前記と同様の作業をする場合には、新紙葉類を切り込み線から挿入して既に舌片で押さえられている既紙葉類上に強制的に入れ込まなければならず、作業がやりずらいうえ新紙葉類に皺が入ったり、損傷したりする可能性が高かった。
【特許文献１】特開平１０−２７８４６５号公報
【特許文献１】登録実用新案第３０１３２７３
【発明の開示】
【発明が解決しようとする課題】
【０００５】
そこで、この発明では、磁性金属に対して磁着でき、且つ既に挟持された紙葉類上に新たな紙葉類を損傷を与えることなく容易に支持させることができるクリップを提供することを課題とする。
【課題を解決するための手段】
【０００６】
（請求項１記載の発明）
この発明は、背板部の両側にそれぞれ鋭角に屈曲して先端部相互が圧接する一対の挟持用板バネ部を設け、前記挟持用板バネ部の間を拡開させる一対のツマミ部の基端部を各挟持用板バネ部の先端外面部に回動自在に取り付けて成り、一方のツマミ部に磁石を設けてある。
（請求項２記載の発明）
この発明のクリップは、上記請求項１記載の発明に関し、他方のツマミ部を磁性金属で構成させてある。
（請求項３記載の発明）
この発明のクリップは、上記請求項１記載の発明に関し、他方のツマミ部に磁石を設け、両方のツマミ部が互いに引き寄せ合うようになっている。
（請求項４記載の発明）
この発明のクリップは、上記請求項１乃至３のいずれかに記載の発明に関し、ツマミ部はその外周枠をバネ鋼線により形成してあり、ツマミ部に磁石を設ける態様は、前記外周枠に磁石を含む樹脂板を嵌め込むようにしてある。
（請求項５記載の発明）
この発明のクリップは、上記請求項１乃至４のいずれかに記載の発明に関し、背板部及び挟持用板バネ部、並びにツマミ部はバネ鋼により構成されている。
【発明の効果】
【０００７】
この発明のクリップは、磁性金属に対して磁着でき、且つ既に挟持された紙葉類上に新たな紙葉類を損傷を与えることなく容易に支持させることができる。
【発明を実施するための最良の形態】
【０００８】
以下に、この発明のクリップを実施するための最良の形態としての実施例について詳細に説明する。
【実施例１】
【０００９】
図１はこの実施例１のクリップＣの外観斜視図、図２は前記クリップＣの側面図、図３は前記クリップＣの正面図、図４は前記クリップＣの使用態様の側面図を示している。
（このクリップＣの基本的構成について）
このクリップＣは、図１に示すように、背板部１０の両側にそれぞれ鋭角に屈曲して先端部相互が圧接する一対の挟持用板バネ部１１を設けて成る本体１と、前記挟持用板バネ部１１，１１の間を拡開させる一対のツマミ部２，２とから成り、前記ツマミ部２，２の基端部を各挟持用板バネ部１１の先端外面部に回動自在に取り付けると共に、一方のツマミ部２に磁石３を設けてある。
（本体１の構成について）
上記背板部１０及び挟持用板バネ部１１，１１は、図１に示すように、その全体が板バネ鋼により構成されており、挟持用板バネ部１１，１１相互が圧接する部分を頂部とし、背板部１０を底辺とする二等辺三角形状に形成されている。
【００１０】
前記挟持用板バネ部１１の先端部には、図１に示すように、Ｒ状に折り曲げられた中央折曲部１２と、円筒状に折り曲げられた筒状部１３とが、延設されている。
【００１１】
中央折曲部１２，１２は、図１に示すように、相互に離れる方向に折り曲げられており、これにより紙葉類を挟み込む際に当該紙葉類が損傷しないようになっている。
【００１２】
筒状部１３の内側端には、図２に示すように、ツマミ部２，２が合わさった状態にある位置（同図の実線位置）と、ツマミ部２，２相互が最大に開ききった状態にある位置（同図の二点鎖線位置）との略中間を頂部位置（思案点になる位置）とした三角形状部１４を設けてある。なお、この三角形状部１４の機能については後述する。
（ツマミ部２の構成について）
ツマミ部２は、その外周枠２０をバネ鋼線により形成してあり、図１や図３に示すように、指による操作部分となる膨らみ部２１と、筒状部１３に内側端から回動自在に挿入される挿入部２２と、前記膨らみ部２１と挿入部２２，２２とを連結する連結部２３，２３とから構成されている。そして、各膨らみ部２１内に樹脂板２４を嵌め込むと共に、そのうちの一方のツマミ部２の樹脂板２４の中央に磁石３を貫通する態様で設けている。
【００１３】
ここで、このツマミ部２は、挿入部２２，２２が筒状部１３，１３に挿入された状態において、各連結部２３はこれが挿入された筒状部１３を外側に押圧するような力が付与されるようにしてある。したがって、ツマミ部を構成するバネ鋼線の付勢力によって、ツマミ部２を思案点よりも上に移動させると、ツマミ部２，２は図２の実線の如く上で閉じた状態（この状態において圧接状態となっている）となり、逆に、ツマミ部２を思案点よりも下に移動させると、ツマミ部２，２は図２の二点鎖線の如く下で全開した状態になる。（このクリップＣの優れた効果について）
(1) このクリップＣでは、ツマミ部２に磁石３を有しているものとしているから、机や掲示板等の磁性部材（磁性金属）Ｊに磁着できる。
(2) このクリップＣでは、既に挟持用板バネ部１１，１１で挟持されている多数の紙葉類Ｓ１の上面に、一時的にメモ書きした新たな紙葉類Ｓ２を積層支持させる場合には以下のようにするとよい。すなわち、
クリップＣの手前のツマミ部２を指で摘んで図４の実線の位置から思案点を越える位置まで引き上げる。すると、前記ツマミ部２は図４の二点鎖線の位置までバネ鋼線の復帰力により自然に移動する。次に、紙葉類Ｓ１上に紙葉類Ｓ２を重ね合わせ、この状態を維持しながら、手前のツマミ部２を指で摘んで図４の二点鎖線の位置から思案点を越える位置まで引き下げる。すると、前記ツマミ部２は図４の実線の位置までバネ鋼線の復帰力により自然に移動し、紙葉類Ｓ１と手前のツマミ部２で挟持されることになる。
【００１４】
このように、既に挟持されている紙葉類Ｓ１上に新たな紙葉類Ｓ２を、損傷を与えることなく容易に支持させることができる。
【実施例２】
【００１５】
図５はこの実施例２のクリップＣの外観斜視図、図６は前記クリップＣの使用態様の側面図を示している。
【００１６】
この実施例２のクリップＣは基本的には実施例１と同じ構成であるが、図５に示すように、両方のツマミ部２の樹脂板２４の中央に貫通する態様で磁石３を設けてあるところだけが相違している。なお、ツマミ部２，２が閉じた状態では、磁石３，３は引き合う力（磁着力）が作用するようになっている。
【００１７】
この実施例２のクリップＣは、実施例１と同様にすれば、既に挟持されている紙葉類Ｓ１上に新たな紙葉類Ｓ２に損傷を与えることなく容易に支持させることができるが、このものでは、図６に示すように、磁石３，３により引き合う力が作用するようになっているから、多くの紙葉類Ｓ２を強い力で支持できることになる。
【実施例３】
【００１８】
図７はこの実施例３のクリップＣの外観斜視図を示している。
【００１９】
この実施例３のクリップＣは基本的には実施例１と同じ構成であるが、図７に示すように、一方のツマミ部２の樹脂板２４の中央に磁石３を貫通する態様で設け、他方のツマミ部２は磁性金属板２５（鉄板等）を嵌め込んだところが相違している。
【００２０】
したがって、この実施例３においても上記実施例２と同様の効果を奏することが明らかである。
【実施例４】
【００２１】
図８はこの実施例４のクリップＣの外観斜視図を示している。
【００２２】
この実施例４のクリップＣは基本的には実施例１と同じ構成であるが、図７に示すように、両方のツマミ部２に磁化された金属粉を混入した樹脂板２６を嵌め込んでいるところだけが相違している。
【００２３】
したがって、この実施例４においても上記実施例２と同様の効果を奏することが明らかである。
【図面の簡単な説明】
【００２４】
【図１】この実施例１のクリップの外観斜視図。
【図２】図１のクリップの側面図。
【図３】図１のクリップの正面図。
【図４】図１のクリップの使用態様の側面図。
【図５】この実施例２のクリップの外観斜視図。
【図６】前記実施例２のクリップの使用態様の側面図。
【図７】この実施例３のクリップの外観斜視図。
【図８】この実施例４のクリップの外観斜視図。
【符号の説明】
【００２５】
Ｃ        クリップ
１        本体
２        ツマミ部
３        磁石
１０      背板部
１１      挟持用板バネ部
１２      中央折曲部
１３      筒状部
１４      三角形状部
【図１】
2005186515.tif 000003
【図２】
2005186515.tif 000004
【図３】
2005186515.tif 000005
【図４】
2005186515.tif 000006
【図５】
2005186515.tif 000007
【図６】
2005186515.tif 000008
【図７】
2005186515.tif 000009
【図８】
2005186515.tif 000010